(57)【特許請求の範囲】
【請求項１】
室外側の把手は、パネルの戸先側端面および戸先側の室内側面に取り付けられたフレームに保持されており、
ラッチボルトを有するラッチ錠がパネルの戸先側の室内側面に取り付けられたフレームに設けられ、
室外側の把手の操作を前記ラッチ錠へ伝えることで、ラッチボルトを後退させ、またはラッチボルトを後退可能状態へ切替える伝達機構が、フレーム内に収容されている
ことを特徴とする扉。
【請求項２】
パネルの戸先側に取り付けたフレームと、室外側把手と、室内側把手と、両把手の操作をラッチ錠に伝達する伝達機構とを備え、
フレームは、パネルの戸先側の室内側面に設けられる室内枠部と、パネルの戸先側端面に設けられる戸先枠部とを有し、
室外側把手は、フレームの室内枠部の戸先側面に取り付けてあり、
室内側把手は、フレームの室内枠部の室内側面に取り付けてあり、
ラッチ錠は、フレームの室内枠部に取り付けてあり、
伝達機構は、フレームの室内枠部の内部に設けてある
ことを特徴とする扉。
【請求項３】
パネルの戸先側に取り付けたフレームと、室外側把手と、室内側把手と、両把手の操作をラッチ錠に伝達する伝達機構とを備え、
フレームは、パネルの室内側に位置する室内枠部を有し、
室外側把手は、フレームの室内枠部の戸先側面に取り付けてあり、
室内側把手は、フレームの室内枠部の室内側面に取り付けてあり、
ラッチ錠は、フレームの室内枠部に取り付けてあり、
伝達機構は、フレームの室内枠部の内部に設けてあり、
前記室外側把手は、座と、把手本体とを有し、
座は、一端部がパネルの室内側で、フレームの室内枠部の戸先側面に取り付けられ、他端部が室外側へ延出する平面視略Ｌ字形とされ、
座の他端部に設けられた把手本体、または把手本体に設けられる操作材の操作が、座およびフレームの室内枠部の内部に設けられた伝達機構を介してラッチ錠に伝達される
ことを特徴とする扉。
【請求項４】
パネルの戸先側に取り付けたフレームと、室外側把手と、室内側把手と、両把手の操作をラッチ錠に伝達する伝達機構とを備え、
フレームは、パネルの戸先側端面で且つ扉枠の縦枠の室外側に位置する戸先枠部と、パネルの室内側に位置する室内枠部とを有し、
室外側把手は、フレームの戸先枠部の室外側面に取り付けてあり、
室内側把手は、フレームの室内枠部の室内側面に取り付けてあり、
ラッチ錠は、フレームの室内枠部に取り付けてあり、
伝達機構は、フレームの室内枠部および戸先枠部の内部に設けてある
ことを特徴とする扉。
【請求項５】
略矩形板状のパネルと、
このパネルの戸先側端部の室内側面と戸先側端面とに連続して設けられるフレームと、
このフレームに設けられるラッチ錠と、
フレームの戸先側端部の室外側面に設けられる把手と、
フレーム内に設けられ、把手の操作によりラッチ錠のラッチボルトを後退可能とするリンク機構と
を備えることを特徴とする扉。
【請求項６】
デッドボルトを有するシリンダー錠が、戸先側の扉枠または躯体に設けられている
ことを特徴とする請求項１から請求項５までのいずれかに記載の扉。
【請求項７】
前記フレームの室内側面に、ラッチ錠のラッチボルトを後退または傾斜面を反転させる室内側の把手が取り付けられるホルダーが設けられ、
このホルダーにラッチ錠が収容され、
ホルダーには、ラッチ錠のラッチボルトと同一高さ位置に前記デッドボルトの突入穴が形成されている
ことを特徴とする請求項６に記載の扉。
【請求項８】
パネルの室内側に設けられると共に、ラッチボルトを後退可能に収容する錠ケースを備え、
パネルの戸先側に取り付けられたフレームは、パネルの戸先側の室内側面に設けられる室内枠部と、パネルの戸先側端面に設けられる戸先枠部とを有し、
錠ケースは、フレームの室内枠部に取り付けられ、
フレームの室内枠部および戸先枠部の内部に設けた伝達機構を介して室外側の把手の操作により、ラッチボルトが後退または後退可能状態へ切替えられる
ことを特徴とする扉錠。
【発明の詳細な説明】
【技術分野】
【０００１】
本発明は、住宅の玄関などに設けられる扉およびこの扉に設けられる扉錠に関するものである。
【背景技術】
【０００２】
従来、玄関扉に取り付けられる把手は、パネルの室外側面に直接設けられている。この際、パネルの室外側面には、把手を取り付けるための穴や切欠きが形成される。
また、通常は、シリンダー錠が内蔵されており、その場合には、室外側から解錠するための鍵穴がパネルの室外側面に露出するように設けられている。
【発明の開示】
【発明が解決しようとする課題】
【０００３】
従来の構成では、パネルの室外側面に穴や切欠きが見えてしまい、特にパネルが一枚の板体から形成されている場合、見栄えを悪くしてしまうものであった。
本発明が解決しようとする課題は、室外側面に穴や切欠きを形成することなく把手が取り付けられる扉および扉錠を提供することにある。
【課題を解決するための手段】
【０００４】
本発明は、前記課題を解決するためになされたものであり、請求項１に記載の発明は、室外側の把手は、パネルの戸先側端面および戸先側の室内側面に取り付けられたフレームに保持されており、ラッチボルトを有するラッチ錠がパネルの戸先側の室内側面に取り付けられたフレームに設けられ、室外側の把手の操作を前記ラッチ錠へ伝えることで、ラッチボルトを後退させ、またはラッチボルトを後退可能状態へ切替える伝達機構が、フレーム内に収容されていることを特徴とする扉である。
【０００５】
請求項２に記載の発明は、パネルの戸先側に取り付けたフレームと、室外側把手と、室内側把手と、両把手の操作をラッチ錠に伝達する伝達機構とを備え、フレームは、パネルの戸先側の室内側面に設けられる室内枠部と、パネルの戸先側端面に設けられる戸先枠部とを有し、室外側把手は、フレームの室内枠部の戸先側面に取り付けてあり、室内側把手は、フレームの室内枠部の室内側面に取り付けてあり、ラッチ錠は、フレームの室内枠部に取り付けてあり、伝達機構は、フレームの室内枠部の内部に設けてあることを特徴とする扉である。
【０００６】
請求項３に記載の発明は、パネルの戸先側に取り付けたフレームと、室外側把手と、室内側把手と、両把手の操作をラッチ錠に伝達する伝達機構とを備え、フレームは、パネルの室内側に位置する室内枠部を有し、室外側把手は、フレームの室内枠部の戸先側面に取り付けてあり、室内側把手は、フレームの室内枠部の室内側面に取り付けてあり、ラッチ錠は、フレームの室内枠部に取り付けてあり、伝達機構は、フレームの室内枠部の内部に設けてあり、前記室外側把手は、座と、把手本体とを有し、座は、一端部がパネルの室内側で、フレームの室内枠部の戸先側面に取り付けられ、他端部が室外側へ延出する平面視略Ｌ字形とされ、座の他端部に設けられた把手本体、または把手本体に設けられる操作材の操作が、座およびフレームの室内枠部の内部に設けられた伝達機構を介してラッチ錠に伝達されることを特徴とする扉である。
【０００７】
請求項４に記載の発明は、パネルの戸先側に取り付けたフレームと、室外側把手と、室内側把手と、両把手の操作をラッチ錠に伝達する伝達機構とを備え、フレームは、パネルの戸先側端面で且つ扉枠の縦枠の室外側に位置する戸先枠部と、パネルの室内側に位置する室内枠部とを有し、室外側把手は、フレームの戸先枠部の室外側面に取り付けてあり、室内側把手は、フレームの室内枠部の室内側面に取り付けてあり、ラッチ錠は、フレームの室内枠部に取り付けてあり、伝達機構は、フレームの室内枠部および戸先枠部の内部に設けてあることを特徴とする扉である。
【０００８】
請求項５に記載の発明は、略矩形板状のパネルと、このパネルの戸先側端部の室内側面と戸先側端面とに連続して設けられるフレームと、このフレームに設けられるラッチ錠と、フレームの戸先側端部の室外側面に設けられる把手と、フレーム内に設けられ、把手の操作によりラッチ錠のラッチボルトを後退可能とするリンク機構とを備えることを特徴とする扉である。
【０００９】
請求項６に記載の発明は、デッドボルトを有するシリンダー錠が、戸先側の扉枠または躯体に設けられていることを特徴とする請求項１から請求項５までのいずれかに記載の扉である。
【００１０】
請求項７に記載の発明は、前記フレームの室内側面に、ラッチ錠のラッチボルトを後退または傾斜面を反転させる室内側の把手が取り付けられるホルダーが設けられ、このホルダーにラッチ錠が収容され、ホルダーには、ラッチ錠のラッチボルトと同一高さ位置に前記デッドボルトの突入穴が形成されていることを特徴とする請求項６に記載の扉である。
【００１１】
さらに、請求項８に記載の発明は、パネルの室内側に設けられると共に、ラッチボルトを後退可能に収容する錠ケースを備え、パネルの戸先側に取り付けられたフレームは、パネルの戸先側の室内側面に設けられる室内枠部と、パネルの戸先側端面に設けられる戸先枠部とを有し、錠ケースは、フレームの室内枠部に取り付けられ、フレームの室内枠部および戸先枠部の内部に設けた伝達機構を介して室外側の把手の操作により、ラッチボルトが後退または後退可能状態へ切替えられることを特徴とする扉錠である。
したがって、扉錠とは、ラッチ錠の他に、そのラッチボルトを後退または後退可能状態へ切替える機構が含まれる。
【発明の効果】
【００１２】
請求項１に記載の発明によれば、室外側の把手がパネルではなく、フレームに保持されていることで、パネルの表面（室外側面）に把手を取り付けるための穴や切欠きが形成されない。これにより、パネルの表面全体に穴や切欠きのない扉とすることができ、意匠性のよい扉とすることができる。
【００１３】
請求項２に記載の発明によれば、室外側の把手がパネルではなく、フレームに保持されていることで、パネルの表面（室外側面）に把手を取り付けるための穴や切欠きが形成されない。これにより、パネルの表面全体に穴や切欠きのない扉とすることができ、意匠性のよい扉とすることができる。また、室外側把手がパネルの室内枠部に取り付けられることで、パネルの戸先側端面にフレームを設ける必要がない。
【００１４】
請求項３に記載の発明によれば、室外側把手の座がパネルの室内側でフレームに取り付けられることで、座とフレームとの接続箇所が室外側から視認されることがなく、意匠性のよい扉とすることができる。
【００１５】
請求項４に記載の発明によれば、室外側の把手がパネルではなく、フレームに保持されていることで、パネルの表面（室外側面）に把手を取り付けるための穴や切欠きが形成されない。これにより、パネルの表面全体に穴や切欠きのない扉とすることができ、意匠性のよい扉とすることができる。また、室内側把手およびラッチ錠がフレームの室内枠部に取り付けられていることでコンパクトな設計とすることができる。さらに、伝達機構がフレームの室内枠部および戸先枠部内に収容されていることで、外部から視認されることがない。
【００１６】
請求項５に記載の発明によれば、室外側の把手がパネルではなく、フレームに保持されていることで、パネルの表面（室外側面）に把手を取り付けるための穴や切欠きが形成されない。これにより、パネルの表面全体に穴や切欠きのない扉とすることができ、意匠性のよい扉とすることができる。また、把手の操作は、リンク機構により伝達されることで、簡易な構成とすることができる。
【００１７】
請求項６に記載の発明によれば、シリンダー錠がパネルではなく、扉枠または躯体に設けられる。これにより、パネルの室外側面にシリンダー錠を取り付けるための穴や切欠きを形成する必要がなく、意匠性のよい扉とすることができる。また、シリンダー錠が扉枠または躯体に設けられることで、扉枠と扉の間からバール等を差し込まれてシリンダー錠のデッドボルトが破壊され難くなり、防犯性に優れたものとなる。
【００１８】
請求項７に記載の発明によれば、フレームの室内側面に設けられたホルダー内にラッチ錠が設けられると共に、シリンダー錠のデッドボルトが突入する突入穴がラッチボルトと同一高さ位置に形成されていることで、ホルダーの上下寸法を小さくすることができる。
【００１９】
さらに、請求項８に記載の発明によれば、ラッチ錠やその操作用の把手がパネルの室外側に設けられないので、パネルの表面に穴や切欠きを形成する必要がない。
【発明を実施するための最良の形態】
【００２０】
以下、本発明の扉および扉錠について、更に詳細に説明する。ここでは、本発明の扉および扉錠が玄関扉に適用される場合について説明する。なお、以下の説明においては、扉が閉鎖した状態において室内外方向を前後方向とする。また、扉が閉鎖した状態において扉の幅方向を左右方向とする。
【実施例１】
【００２１】
図１から図５は、本発明の扉の実施例１を示す図であり、図１は躯体への取付状態を室外側から見た正面図、図２は扉をその戸先側から見た側面図であり一部を省略して示しており、図３は躯体への取付状態における平面視横断面図である。また、図４は戸先側部分の拡大横断面図であり、図５は図４の主要部を示す概略斜視図である。
【００２２】
本実施例の扉１は、開き戸形式とされ、室外側へ開く外開き扉とされる。
具体的には、本実施例の扉１は、壁を構成するコンクリート製の躯体に固定された略矩形枠状の扉枠２９１の一側端部に、ヒンジＨを介して回動可能に取り付けられている（図１，図３）。
【００２３】
本実施例の扉１は、略矩形板状のパネル１Ａと、このパネル１Ａの室内側（裏面側）の外端辺部に沿って設けられる略矩形枠状のフレーム３と、前記パネル１Ａの室外側（表面側）に設けられ、戸先側の前記フレーム３に保持される第１把手３５と、前記パネル１Ａの室内側に設けられ、戸先側の前記フレーム３に保持される第２把手４３およびラッチ錠５７とを主要部に備える。また、このラッチ錠５７は、ラッチボルト６１を有する。
【００２４】
本実施例のパネル１Ａは、一枚の矩形状の板状体から構成される。パネル１Ａは、たとえば、木材、ガラス、金属または石材などで形成される。
【００２５】
フレーム３は、図３および図４に示すように、断面略矩形状の筒体とされ、パネル１Ａの室内側面に外周部に沿って設けられる。本実施例のフレーム３は、アルミニウムによる押出し型材とされる。フレーム３のうち、パネル１Ａの吊元側に上下方向に沿って設けられる縦フレーム５に前記ヒンジＨが設けられる。そして、上述したように、このヒンジＨを介してパネル１Ａが扉枠２９１に回動可能に取り付けられる。また、フレーム３には、弾性材よりなる緩衝材２９が設けられている。つまり、緩衝材２９は、パネル１Ａの室内側面の外周部に沿って設けられており、扉１が閉鎖した状態において緩衝材２９は扉枠２９１に当接する。
【００２６】
フレーム３のうち、パネル１Ａの戸先側に上下方向に沿って設けられる縦フレーム７は、図３および図４に示すように、平面視において中空の略Ｌ字形に形成されている。
具体的には、この縦フレーム７は、パネル１Ａの戸先側端部の室内側面に重ね合わされる扁平な略矩形筒状の室内枠部９と、この室内枠部９と連続してパネル１Ａの戸先側端面１ａと対向するコ字形状の戸先枠部１１とを備え、室内枠部９と戸先枠部１１とは傾斜面（２１）にて連続している。
【００２７】
戸先側縦フレーム７の戸先枠部１１は、その中央片１３がパネル１Ａの戸先側端面１ａと平行に配置され、室外側片１５がパネル１Ａの室外側面と同一面に配置される。この室外側片１５の先端部は、パネル１Ａの戸先側端面１ａに当接または近接している。
【００２８】
室内枠部９は、平面視において、パネル１Ａの戸先側端部の室内側面に重ね合わされて設けられる第１板片１７を有し、この第１板片１７はパネル１Ａの戸先側端面からさらに戸先側へ延出して前記戸先枠部１１の室内側片１９と連続して形成されている。
また、室内枠部９は、戸先枠部１１の室内側片１９の中途から室内側へ行くに従って吊元側へ傾斜して設けられる第２板片２１と、この第２板片２１の室内側端部から吊元側へ、第１板片１７と平行に設けられる第３板片２３と、この第３板片２３の吊元側端部と前記第１板片１７の吊元側端部とを連結する第４板片２５とから構成される。
【００２９】
第２板片２１には、上下方向に沿って開口部２７が形成されている。この開口部２７を介して、フレーム３内に緩衝材２９がはめ込まれて固定される。本実施例の緩衝材２９は、合成ゴムなどの弾性材で形成されており、平面視三角形状の長尺材とされる。
【００３０】
本実施例では、縦フレーム７の第２板片２１と、この第２板片２１の中途から吊元側へ延出する第５板片３１と、第３板片２３から室外側へ延出して第５板片３１に直角に連結する第６板片３３とに囲まれて構成される平面視略三角形状の溝に、緩衝材２９がはめ込まれて設けられる。
【００３１】
緩衝材２９が溝にはめ込まれた状態では、緩衝材２９の一部が第２板片２１の開口部２７から露出している。扉１を閉めた状態において、この緩衝材２９の露出部が扉枠２９１に接触し、閉扉時の緩衝と気密性保持の作用を有する。
なお、本実施例では、扉１が閉められた状態では、図３に示すように、戸先枠部１１は扉枠２９１の戸先側縦枠２９３より室外側に位置し、室内枠部９の一部も戸先側縦枠２９３より室外側に位置している。
【００３２】
本実施例では、この戸先側の縦フレーム７の戸先枠部１１に、室外側の第１把手３５が設けられる。第１把手３５は、側面視略コ字形とされ（図２）、その開放両端部が戸先枠部１１の室外側片１５に固定されて設けられる（図４）。具体的には、本実施例の第１把手３５は、戸先枠部１１の室外側片１５に固定される座３７と、この座３７に設けられる把手本体４１とから構成される。
【００３３】
座３７は、中空の略直方体形であり、戸先枠部１１の室外側片１５に重ね合わされてネジ（不図示）により固定されている。座３７の左右寸法は、室外側片１５の左右寸法とほぼ同じ寸法とされる。
把手本体４１は、略円筒形状とされ、その軸線が上下方向に沿うように配置されて、座３７に固定されている。
【００３４】
室内側の第２把手４３は、図４に示すように、戸先側の縦フレーム７の室内枠部９にホルダー４５を介して設けられる。
ホルダー４５は、中空の箱状とされ、正面視で台形状に形成されている（図１）。また、ホルダー４５の室内側端面４７の戸尻側部分は、略半円形状に室外側へ凹んで形成されている。本実施例では、このホルダー４５が縦フレーム７の室内枠部９に上下に離間して二つ固定されている（図２）。その際、各ホルダー４５，４５は、縦フレーム７の第３板片２３に固定されている（図４）。
【００３５】
本実施例の第２把手４３は、その上下両端部が各ホルダー４５，４５にそれぞれ固定されている。具体的には、本実施例の第２把手４３は、各ホルダー４５，４５に固定される二つの座４９と、この座４９に固定される把手本体５３とから構成される。
【００３６】
座４９は、中空の略直方体形とされ、ホルダー４５の室内側端面４７に重ね合わされて固定されている。また、上側の座４９には、その室内側端部に左右に離間して室内側へ突出する一対の板状の支持片５５，５５が一体に設けられている。
【００３７】
把手本体５３は、略円筒形状とされ、その軸線が上下方向に沿うように配置されて、各座４９に固定されている。把手本体５３が座４９に固定される際、上側の座４９の前記支持片５５，５５は把手本体５３内に差し込まれている。
【００３８】
ところで、本実施例では、上側のホルダー４５内にラッチ錠５７の錠ケース５９が設けられる。ラッチ錠５７のラッチボルト６１は、ホルダー４５の戸先側端面から突出可能とされ、ラッチボルト６１が扉枠２９１の戸先側縦枠２９３に設けられた受部材２９５に突入することで、扉１の閉鎖状態が維持される。
【００３９】
図６は、ラッチ錠を室外側から見た正面図であり、断面にして示している。また、図７は、ラッチ錠の平面視横断面図である。さらに、図８は、ラッチボルト６１とロッキングピース７９との係合状態を示す図である。ラッチ錠５７は、箱状の錠ケース５９内に、ラッチボルト６１が進退可能に設けられている。
【００４０】
ラッチ錠５７は、特に限定しないが、本実施例では、従来公知のいわゆる反転式のラッチボルト６１を用いている。図７および図８に示すように、ラッチボルト６１は、平面視略菱形とされ、錠ケース５９から三角形状に突出して、戸先側縦枠２９３に取り付けられた受部材（ストライキ）２９５に突入する。ラッチボルト６１が受部材２９５に突入した状態では、閉扉方向の面が室内側へ行くに従って吊元側へ傾斜する傾斜面６１ａとされ、開扉方向の面が左右方向に沿う係合面６１ｂとされる。
【００４１】
また、ラッチボルト６１は、その右端部の上下に対称的に突出部６３，６３が一体形成されており、この突出部６３，６３に左右方向に係合溝６５が上下両面にそれぞれ形成されている。さらに、ラッチボルト６１の右端部中央には、傾斜した嵌合凹部６９が形成されており、ラッチバネ６７の一端部がはめ込まれる。
【００４２】
一方、錠ケース５９の前板７１及びフロント板７３には、ラッチボルト６１の出入口７５が形成されている。そして、この出入口７５を臨むように、出入口７５から錠ケース５９内の右側には断面コ字状のバネ受７７が設けられ、このバネ受７７とラッチボルト６１の嵌合凹部６９間にはラッチバネ６７が設けられている。これにより、このラッチバネ６７の付勢力によって前記ラッチボルト６１の左端部は、図６および図７に示すように、常時、錠ケース５９の出入口７５から出没可能に突出している。
【００４３】
錠ケース５９内には、ラッチボルト６１が受部材２９５に突入した扉１の閉鎖状態において、ラッチボルト６１の反転を阻止するための上下一対のロッキングピース（操作部材）７９，７９が、ラッチボルト６１を挟んだ状態で設けられている。各ロッキングピース７９，７９は、その略中央部が、錠ケース５９の側板５９ａ間に枢軸８１，８１で揺動自在にそれぞれ枢支されている。さらに、各ロッキングピース７９，７９の左端部には、係合片８３，８３が対向するように突出して形成されている。また、枢軸８１，８１には、つる巻きバネ８５がそれぞれ設けられており、係合片８３，８３がラッチボルト６１の係合溝６５，６５に常時係合するようにロッキングピース７９，７９を付勢している。この係合状態時にはラッチボルト６１は反転が阻止される。
【００４４】
また、各ロッキングピース７９，７９の略中央部には、連結片８７，８７が互いに対向するように突出して形成されており、両連結片８７，８７同士はピン８９で回転可能に枢支されている。
【００４５】
各ロッキングピース７９，７９の右端部には右側へ延出して係合部９１がそれぞれ形成されており、この係合部９１は後述するリンク機構のリンク材１１５，１４９によって上下動する縦向き把手用のスライダー９３（第１スライダー９５、第２スライダー９７）の一部に当接している。
【００４６】
本実施例では、第１スライダー９５を下動させることで、これに連動して第２スライダーも上動してロッキングピース７９，７９を揺動させ、また、第２スライダーを上動させることで、これに連動して第１スライダーも下動してロッキングピース７９，７９を揺動させるよう構成されている。つまり、一方のロッキングピース７９を、その係合片８３が、ラッチボルト６１の係合溝６５との係合を解除する方向に揺動することにより、これに連動して他方のロッキングピース７９も連動して揺動し、その係合片８３もラッチボルト６１の他方の係合溝６５から離脱される。
【００４７】
本実施例において、扉１を閉鎖状態から開けるためには、受部材２９５に突入したラッチボルト６１を反転させる必要がある。このため、錠ケース５９内の第１スライダー９５を下方または第２スライダー９７を上方へ移動させてロッキングピース７９とラッチボルト６１との係合を解除させる必要がある。本実施例では、第１把手３５または第２把手４３の操作により、その解除が可能とされる。具体的には、第１把手３５および第２把手４３に設けられる各操作材１０１，１４３を操作することで、リンク機構（伝達機構）を介してスライダー９３を移動させることができる。
【００４８】
以下、図２、図４、図５、および図９を参照しながら、操作材１０１，１４３およびリンク機構について説明する。まず、室外側の第１把手３５の操作材１０１について説明する。
【００４９】
第１把手３５の把手本体４１には、室内側周壁に上下方向に沿って細長い開口部９９が、上側の座３７より下方に形成されており、この開口部９９に操作材１０１が設けられる。
【００５０】
操作材１０１は、断面略Ｔ字形の細長い板材とされる。具体的には、操作材１０１は、把手本体４１の内部に収容され、前記開口部９９より幅広な湾曲した板状の取付部１０３と、この取付部１０３の幅方向中央部から把手本体４１の前記開口部９９を介して把手本体４１から外方へ突出するボタン部１０５とから構成される。
【００５１】
また、図９に示すように、操作材１０１の下端部には、下方へ延出する細長い板状の支持部１０７が一体に設けられており、把手本体４１内に配置されている。この支持部１０７の下端部は、把手本体４１の下端部に設けられた台１０９に差し込まれ、左右方向に沿って軸１１１が回転可能に差し込まれている。これにより、操作材１０１は、前記軸１１１まわりに把手本体４１に対して前後方向に揺動可能に把手本体４１に保持されている。
【００５２】
図５に示すように、第１把手３５側のリンク機構は、操作材１０１のボタン部１０５の押し込み操作により第１軸１２３まわりに揺動する第１リンク材１１３と、この第１リンク材１１３に一端部が連結されると共に、他端部が錠ケース５９に差し込まれる第２リンク材１１５とから構成される。
【００５３】
第１リンク材１１３は、略Ｌ字形の板状とされ、把手本体４１内部に上下方向に沿って配置される一片１１７と、この一片１１７の上端部から室内側へ延出する他片１１９とからなる。第１リンク材１１３の一片１１７の下端部は室内側へ半円形状に膨出して膨出部１２１が形成されている。また、第１リンク材１１３の他片１１９の先端部中央は、基端側（室外側）へＵ字状に凹んで凹部１３５が形成されている。
【００５４】
図５および図９に示すように、扉１が閉鎖した状態において、第１リンク材１１３の一片１１７は、上下方向に沿って配置されており、その下端部の膨出部１２１は、操作材１０１の取付部１０３に当接している。そして、第１リンク材１１３は、その角部に左右方向に沿って第１軸１２３が回転可能に差し込まれている。これにより、第１リンク材１１３は、この第１軸１２３まわりに揺動可能とされる。なお、前記軸１２３の両端部は、把手本体４１内に固定されたケース１２５に保持されている。また、第１リンク材１１３は、操作材１０１が操作されていない状態では、不図示のバネなどによりその一片１１７が上下方向に沿うように姿勢が保たれる。
【００５５】
扉１の閉鎖状態において、第１リンク材１１３の他片１１９は、ほぼ水平な状態で座３７の内部に配置されており、その先端部は、縦フレーム７の戸先枠部１１内に差し込まれている。具体的には、第１リンク材１１３の他片１１９の先端部は、戸先枠部１１の室外側片１５に形成された開口部を介して室外側片１５と室内側片１９との間に差し込まれている。
【００５６】
この第１リンク材１１３の他片１１９の先端部に、第２リンク材１１５が連結される。第２リンク材１１５は、金属製の矩形板材を屈曲して形成されてなる。具体的には、第２リンク材１１５は、縦フレーム７の戸先枠部１１内に前端部が差し込まれて前後方向に沿って設けられる第１片１２７と、この第１片１２７の後端部から右側へ直角に屈曲されて左右方向に沿って設けられる第２片１２９と、この第２片１２９の右端部から室内側へ直角に屈曲されて設けられる第３片１３１とから構成される。
【００５７】
第２リンク材１１５の第１片１２７は、縦フレーム７の戸先枠部１１内に差し込まれて、第１リンク材１１３の他片１１９と隣接して平行に配置される。そして、第１リンク材１１３の他片１１９と第２リンク材１１５の第１片１２７とを架け渡すように、段付き円柱状のピン１３３が左右方向に沿って差し込まれている。
【００５８】
ピン１３３は、その大径部が第１リンク材１１３の他片１１９の凹部１３５に差し込まれ、その小径部が第２リンク材１１５の第１片１２７の前端部に固定されている。これにより、第１リンク材１１３と第２リンク材１１５とが回転可能に連結される。
【００５９】
第２リンク材１１５の第２片１２９は、縦フレーム７の室内枠部９内に左右方向に沿って配置される。また、第２リンク材１１５の第３片１３１は、縦フレーム７の第３板片２３を介してホルダー４５内の錠ケース５９に差し込まれ、その先端部は、ラッチ錠５７の第１スライダー９５と第２スライダー９７間に配置されている。なお、第３片１３１の先端部は、若干幅細に形成されている。
【００６０】
第２リンク材１１５の第３片１３１には、左右方向に沿って第２軸１３７が回転可能に差し込まれており、第２リンク材１１５は、この第２軸１３７まわりに揺動可能とされる。この第２軸１３７は、縦フレーム７の第３板片２３に固定された室内側へ開口するケース１３９にその両端部が保持されており、第２リンク材１１５の第３片１３１は、ケース１３９を介して錠ケース５９内に差し込まれている。
【００６１】
次に、室内側の第２把手の操作材について説明する。
第２把手４３は、その室内側周壁に、上下方向に沿って細長い開口部１４１が形成されており、この開口部１４１に操作材１４３が設けられる。
【００６２】
第２把手４３側の操作材１４３は、前記第１把手３５の操作材１０１と同様であり、把手本体５３の内部に収容される取付部１４５と、この取付部１４５から前記開口部１４１を介して外方へ突出するボタン部１４７とから構成される。また、操作材１４３には、前記第１把手３５の操作材１０１と同様に、下方へ延出して細長い板状の支持部（不図示）が一体に設けられており、この支持部の下端部には、左右方向に沿って軸が回転可能に差し込まれている。これにより、操作材１０１は、把手本体５３に対して前記軸まわりに前後方向に揺動可能に把手本体５３に保持される。
【００６３】
第２把手４３側のリンク機構は、略Ｌ字形板状の第３リンク材１４９から構成される。この第３リンク材１４９は、把手本体５３の内部に上下方向に沿って配置される一片１５１と、この一片１５１の下端部から室外側へ延出する他片１５３とからなる。第３リンク材１４９の一片１５１の上端部は、室内側へ半円形状に膨出して膨出部１５５が形成されている。
【００６４】
扉１が閉鎖した状態では、第３リンク材１４９の一片１５１は、上下方向に沿って配置されており、その上端部の膨出部１５５は、操作材１４３の取付部１４５に当接している。
そして、第３リンク材１４９は、その角部に左右方向に沿って軸１５７が回転可能に差し込まれている。これにより、第３リンク材１４９は、この軸１５７まわりに揺動可能とされる。なお、前記軸１５７の両端部は、前記座４９の支持片５５，５５間に保持されている。また、第３リンク材１４９は、操作材１４３が操作されていない状態では、不図示のバネなどによりその一片１５１が上下方向に沿うように姿勢が保たれる。
【００６５】
第３リンク材１４９の他片１５３は、座４９およびホルダー４５を介して錠ケース５９に差し込まれ、その先端部は、ラッチ錠５７の第１スライダー９５と第２スライダー９７間に配置されている。なお、室外側の第２リンク材１１５の第３片１３１と、室内側の第３リンク材１４９の他片１５３とは、左右に離間してそれぞれ各スライダー９５，９７間に差し込まれている。
【００６６】
次に、扉１を閉鎖状態から開ける方法について説明する。
室外側から扉１を開ける場合には、第１把手３５の把手本体４１を把持して、操作材１０１のボタン部１０５を把手本体４１に対して室外側へ押し込めばよい。
このボタン部１０５の押込み操作により、操作材１０１が前記軸１１１まわりに回動し、その取付部１０３が第１リンク材１１３の一片１１７を室外側へ押し込み、第１リンク材１１３は第１軸１２３まわりに回動して、第１リンク材１１３の他片１１９が下方へ移動する。
【００６７】
第１リンク材１１３の他片１１９が下方へ移動することで、第１リンク材１１３の他片１１９とピン１３３により連結された第２リンク材１１５の第１片１２７も下方へ移動して、第２リンク材１１５は第２軸１３７まわりに回動する。
これにより、第２リンク材１１５の第３片１３１の先端部が上方へ移動して、ラッチ錠５７の第２スライダー９７を上方へ移動させる。第２スライダー９７が上方へ移動することで各ロッキングピース７９，７９も揺動して、ラッチボルト６１との係合が解除される。
【００６８】
そして、この係合が解除された状態において、ボタン部１０５を押し込んだまま第１把手３５を外側へ引くことで、図４の状態から図１０に示すように、ラッチボルト６１の先端部が受部材２９５に当接してラッチボルト６１は反転する。さらに、パネル１Ａを外側へ開けることで、ラッチボルト６１は、受部材２９５に当接する傾斜の作用により吊元側へラッチバネ６７の付勢力に対抗して錠ケース５９内に押し込まれ、扉１を開けることができる。
【００６９】
次に、室内側から扉１を開ける場合には、第２把手４３の把手本体５３を把持して、操作材１４３のボタン部１４７を室外側へ押し込めばよい。このボタン部１４７の押込み操作により、操作材１４３は、軸まわりに回転して、その取付部１４５が第３リンク材１４９の一片１５１を室外側へ押し込む。
【００７０】
これにより、第３リンク材１４９は軸１５７まわりに回動し、第３リンク材１４９の他片１５３は下方へ移動して、ラッチ錠５７の第１スライダー９５を下方へ移動させて、ロッキングピース７９とラッチボルト６１の係合が解除される。そして、係合が解除された状態において、ボタン部１４７を押し込んだまま、第２把手４３を室外側へ押すことで、室外側からの方法と同様に、扉１を開けることができる。
【００７１】
このように、本実施例の扉１は、各把手３５，４３に設けられた操作材１０１，１４３のボタン部１０５，１４７を押し込み、把手３５，４３を引き操作または押し操作することで開閉することができる。
【００７２】
ところで、本実施例では、扉枠２９１の戸先側縦枠２９３にシリンダー錠１５９が設けられている。そして、シリンダー錠１５９のデッドボルト１６１は、上側のホルダー４５に設けられた凹部１６３に突入可能とされる。本実施例では、ホルダー４５の戸先側端面に、錠ケース５９より室内側にデッドボルト１６１が突入可能な凹部１６３が左側へ開口して形成されている。
【００７３】
本実施例では、ラッチ錠５７のラッチボルト６１とシリンダー錠１５９のデッドボルト１６１とは、上下方向の高さ位置が同じとされ、前後に離間して配置される。これにより、ホルダー４５の高さ寸法（上下寸法）を長くする必要がなく、ホルダー４５をコンパクトな設計とすることができ意匠性に優れる。
【００７４】
本実施例では、室外側の第１把手３５がパネル１Ａの室外側面ではなく、フレーム３に設けられている。これにより、パネル１Ａの室外側面には、把手を取り付けるための穴や切欠きが形成されず、見栄えがよく意匠性に優れた製品とすることが可能となりデザイン性の向上を図ることができる。
【実施例２】
【００７５】
図１１から図１３は、本発明の扉の実施例２を示す図であり、図１１は扉をその戸先側から見た側面図であり一部を省略して、また一部を断面にして示しており、図１２は戸先側部分の拡大横断面図であり、図１３は図１２の主要部を示す概略斜視図である。
【００７６】
本実施例２の扉１は、基本的には、前記実施例１の扉１と同様の構成である。よって、以下においては、両者の異なる部分を中心に説明し、対応する箇所には同一の符号を付して説明する。
【００７７】
本実施例の扉１は、実施例１と同様に、略矩形板状のパネル１Ａと、このパネル１Ａの室内側（裏面側）の外端辺部に沿って設けられる略矩形枠状のフレーム３と、前記パネル１Ａの室外側面（表面）に設けられ、戸先側の前記フレーム３に保持される第１把手２０１と、前記パネル１Ａの戸先側の室内側面に設けられ、戸先側の前記フレーム３に保持される第２把手２４９およびラッチ錠５７とを主要部に備える。
【００７８】
本実施例２のパネル１Ａ、フレーム３およびラッチ錠５７は、前記実施例１と同様の構成とされる。また、本実施例２においても、前記実施例１と同様に、扉枠２９１の戸先側縦枠２９３にシリンダー錠１５９が設けられている。
【００７９】
前記実施例１では、各把手３５，４３の把手本体４１，５３に設けられた操作材１０１，１４３を操作することで、リンク機構を介してラッチ錠５７のスライダー９３を移動させた。これに対して、本実施例２では、各把手２０１，２４９の把手本体２０７，２５５自体を操作することでリンク機構を介してラッチ錠５７のスライダー９３を移動させる。
【００８０】
室外側の第１把手２０１は、戸先側の縦フレーム７の戸先枠部１１に設けられる。具体的には、本実施例の第１把手２０１は、戸先枠部１１の室外側片１５に上下に離間して固定される二つの座２０３，２０５と、この座２０３，２０５同士を架け渡すように設けられる把手本体２０７とから構成される。
【００８１】
座２０３，２０５は、中空の略直方体形であり、戸先枠部１１の室外側片１５に重ね合わされてネジＳにより固定されている。
【００８２】
把手本体２０７は、略円筒形状とされ、その下端部には、室内側へ突出する柱状の取付部２０９が一体的に設けられている。
また、把手本体２０７の上端部には、室内側へ突出する柱状の連結部２１１が一体的に設けられている。この連結部２１１の先端部中央には、上下方向に沿って溝２１３が形成されている。
【００８３】
図１１に示すように、把手本体２０７の取付部２０９は、下側の座２０５に差し込まれ、左右方向に沿って軸２１５が回転可能に差し込まれる。また、軸２１５の両端部は、座２０５に保持される。これにより、把手本体２０７は、前記軸２１５まわりに前後方向に揺動可能に座２０５に保持される。
【００８４】
把手本体２０７の連結部２１１は、上側の座２０３に差し込まれてリンク機構に接続される。第１把手２０１側のリンク機構は、把手本体２０７の操作により第１軸２２７まわりに揺動する第１リンク材２１７と、この第１リンク材２１７に一端部が連結されると共に、他端部が錠ケース５９内に差し込まれる第２リンク材２１９とから構成される。
【００８５】
第１リンク材２１７は、略Ｌ字形の板状とされ、座２０３内部に上下方向に沿って配置される一片２２１と、この一片２２１の上端部から室内側へ延出する他片２２３とからなる。第１リンク材２１７の他片２２３の先端部中央は、基端側（室外側）へＵ字状に凹んで凹部２３７が形成されている。
【００８６】
第１リンク材２１７は、その一片２２１の下端部が、把手本体２０７の連結部２１１の溝２１３に差し込まれ、左右方向に沿ってピン２２５が差し込まれ、連結部２１１に回転可能に連結されている。また、第１リンク材２１７は、その角部に座２０３内部に設けられる第１軸２２７が左右方向に沿って回転可能に差し込まれる。これにより、第１リンク材２１７は、この第１軸２２７まわりに揺動可能とされる。なお、第１リンク材２１７は、把手本体２０７が操作されていない状態では、不図示のバネなどによりその一片２２１が上下方向に沿うように姿勢が保たれる。
【００８７】
扉１が閉鎖した状態では、第１リンク材２１７の他片２２３は、ほぼ水平な状態で配置されており、その先端部は、縦フレーム７の戸先枠部１１内に差し込まれている。具体的には、第１リンク材２１７の他片２２３の先端部は、戸先枠部１１の室外側片１５と室内側片１９との間に差し込まれている。
【００８８】
この第１リンク材２１７の他片２２３の先端部に、第２リンク材２１９が接続される。第２リンク材２１９は、金属製の矩形板材を屈曲して形成されている。具体的には、第２リンク材２１９は、縦フレーム７の戸先枠部１１に前端部が差し込まれて前後方向に沿って設けられる第１片２２９と、この第１片２２９の後端部から右側へ直角に屈曲されて左右方向に沿って設けられる第２片２３１と、この第２片２３１の右端部から室内側へ直角に屈曲されて設けられる第３片２３３とから構成される。
【００８９】
第２リンク材２１９の第１片２２９は、縦フレーム７の戸先枠部１１内に差し込まれて、第１リンク材２１７の他片２２３と隣接して平行に配置される。そして、第１リンク材２１７の他片２２３と第２リンク材２１９の第１片２２９とを架け渡すにように、段付き円柱状のピン２３５が左右方向に沿って差し込まれる。
【００９０】
ピン２３５は、その大径部が第１リンク材２１７の他片２２３の凹部２３７に差し込まれ、その小径部が第２リンク材２１９の第１片２２９の前端部に固定されている。これにより、第１リンク材２１７と第２リンク材２１９とが回転可能に連結される。
【００９１】
第２リンク材２１９の第２片２３１は、縦フレーム７の室内枠部９内に左右方向に沿って配置される。また、第２リンク材２１９の第３片２３３は、縦フレーム７の第３板片２３を介して後述するホルダー２４３内の錠ケース５９に差し込まれ、その先端部は、ラッチ錠５７の第１スライダー９５と第２スライダー９７間に配置されている。なお、第３片２３３の先端部は、若干幅細に形成されている。
【００９２】
第２リンク材２１９の第３片２３３には、左右方向に沿って第２軸２３９が回転可能に差し込まれており、第２リンク材２１９は、この第２軸２３９まわりに揺動可能とされる。この第２軸２３９は、縦フレーム７の第３板片２３に固定された室内側へ開口するケース２４１にその両端部が保持されており、第２リンク材２１９の第３片２３３は、ケース２４１を介して錠ケース５９に差し込まれている。
【００９３】
室内側に設けられる第２把手２４９は、戸先側の縦フレーム７の室内枠部９にホルダー２４３を介して設けられる。ホルダー２４３は、中空の箱状とされ、正面視で台形状に形成されている。ホルダー２４３の室内側端面は、吊元側へ行くに従って室外側へ傾斜している。また、ホルダー２４３の室内側端面は、そ中央部から吊元側部分が、室外側へ略矩形状に凹んで形成されている。この凹部２４５の底面には、室内側へ開口するコ字形の取付具２４７が固定されている。
【００９４】
本実施例では、取付具２４７が設けられたホルダー２４３が縦フレーム７の室内枠部９に上下に離間して二つ固定されている。具体的には、各ホルダー２４３，２４３は、室内枠部９の第３板片２３にネジにより固定されている。また、上側のホルダー２４３内には、ラッチ錠５７の錠ケース５９が設けられる。ラッチ錠５７のラッチボルト６１は、ホルダー２４３の戸先側端面から突出可能とされ、受部材２９５に突入することで扉１の閉鎖状態が維持される。さらに、上側のホルダー２４３には、その戸先側端面に錠ケース５９より室内側に、デッドボルト１６１が突入可能な凹部２４４が左側へ開口して形成されている。なお、前記実施例１と同様に、ラッチ錠５７のラッチボルト６１とシリンダー錠１５９のデッドボルト１６１とは、上下方向の高さ位置が同じとされ、前後に離間して配置されている。
【００９５】
本実施例の第２把手２４９は、各ホルダー２４３，２４３に設けられる二つの座２５１，２５１と、この各座２５１に固定される把手本体２５５とから構成される。
【００９６】
座２５１は、略Ｌ字形とされ、一端部がホルダー２４３に回転可能に保持されて左右方向に沿って設けられる一片２５７と、この一片２５７の他端部から室内側へ延出する他片２５９とから構成される。座２５１の一片２５７の一端部は、その上下方向中央部は薄肉に形成されて段付部２５７ａが形成されている。また、上側の座２５１の一片２５７には、その左右方向中央部に、室外側へ開口する略矩形状の凹部２６１が形成されている。この凹部２６１の底面中央部には、室外側へ突出する突部２６１ａが上下方向に沿って形成されている。
【００９７】
座２５１は、その一片２５７の段付部２５７ａが、ホルダー２４３に固定された取付具２４７の開放両端片間に差し込まれ、上下方向に沿って軸２６３が差し込まれる。これにより、座２５１は、ホルダー２４３に対して前後方向に回転可能に保持される。
【００９８】
把手本体２５５は、略円筒形状とされ、その軸線が上下方向に沿うように配置されて、各座２５１，２５１の他片２５９の先端部に固定されている。
【００９９】
第２把手２４９側のリンク機構は、略Ｌ字形板状の第３リンク材２６５から構成される。
この第３リンク材２６５は、上側のホルダー２４３の内部に上下方向に沿って配置される一片２６７と、この一片２６７の下端部から室外側へ延出する他片２６９とからなる。また、一片２６７の上端部には、右側へ直角に若干延出して延出片２７１が一体に形成されている。
【０１００】
第３リンク材２６５は、その角部に軸２７３が左右方向に沿って回転可能に差し込まれている。この軸２７３は、その両端部がホルダー２４３に保持されている。これにより、第３リンク材２６５は、この軸２７３まわりに揺動可能とされる。また、第３リンク材２６５がホルダー２４３に保持された状態では、第３リンク材２６５の延出片２７１は、ホルダー２４３の室内側端面から室内側へ突出して座２５１の凹部２６１内に配置されて突部２６１ａに当接している。
【０１０１】
第３リンク材２６５の他片２６９は、錠ケース５９内に差し込まれ、その先端部は、ラッチ錠５７の第１スライダー９５と第２スライダー９７間に差し込まれている。なお、室外側の第２リンク材２１９の第３片２３３と、室内側の第３リンク材２６５の他片２６９とは、左右に離間してそれぞれ第１スライダー９５と第２スライダー９７間に差し込まれている。
【０１０２】
次に、本実施例２の扉１を閉鎖状態から開ける方法について説明する。
室外側から扉１を開ける場合には、第１把手２０１の把手本体２０７を把持して、室外側へ引けばよい。把手本体２０７を室外側へ引くことで、把手本体２０７は、その下端部の軸２１５まわりに回動し、把手本体２０７に設けられた連結部２１１も室外側へ移動する。連結部２１１が室外側へ移動することで、連結部２１１に連結された第１リンク材２１７の一片２２１が室外側へ移動し、第１リンク材２１７は第１軸２２７まわりに回動する。これにより、第１リンク材２１７の他片２２３は下方へ移動する。
【０１０３】
第１リンク材２１７の他片２２３が下方へ移動することで、第１リンク材２１７の他片２２３とピン２３５により連結された第２リンク材２１９の第１片２２９も下方へ移動して、第２リンク材２１９は第２軸２３９まわりに回動する。
これにより、第２リンク材２１９の第３片２３３の先端部が上方へ移動し、これに伴いラッチ錠５７の第２スライダー９７が上方へ移動する。第２スライダー９７が上方へ移動することで各ロッキングピース７９，７９が揺動して、ラッチボルト６１との係合が解除される。
【０１０４】
そして、この係合が解除された状態において、そのまま第１把手２０１を外側へ引くことで、実施例１と同様に、ラッチボルト６１の先端部が受部材２９５に当接してラッチボルト６１は反転し、扉１を開けることができる。
【０１０５】
次に、室内側から扉１を開ける場合には、第２把手２４９の把手本体２５５を把持して、把手本体２５５を室外側へ押し込めばよい。この把手本体２５５の押込み操作により、把手本体２５５に固定された座２５１がホルダー２４３に対して軸２６３まわりに回転して、座２５１に当接して設けられた第３リンク材２６５の延出片２７１および一片２６７が室外側へ押し込まれる。
【０１０６】
これにより、第３リンク材２６５は軸２７３まわりに回動し、第３リンク材２６５の他片２６９は下方へ移動して、ラッチ錠５７の第１スライダー９５を下方へ移動させ、ロッキングピース７９とラッチボルト６１の係合が解除される。そして、さらに第２把手２４９を室外側へ押すことで、室外側からの方法と同様に、扉１を開けることができる。
【実施例３】
【０１０７】
本実施例の扉は、前記各実施例と同様に、開き戸形式とされ、室外側へ開く外開き扉とされる。本実施例の扉は、基本的には前記各実施例の扉と同様の構成であり、以下においては、異なる部分を中心に説明し、対応する箇所には同一の符号を付して説明する。
【０１０８】
図１４は、本発明の扉の実施例３を示す図であり、躯体への取付状態を室外側から見た正面図である。また、図１５は、図１４の扉をその戸先側から見た側面図であり、図１６は、図１４の扉の戸先側部分の拡大横断面図である。図１７は、座３２７を示す斜視図である。
さらに、図１８は、図１６の主要部を示す概略斜視図であり、図１９は、図１６の主要部を示す扉の吊元側から見た縦断面図である。
【０１０９】
本実施例の扉１は、略矩形板状のパネル１Ａと、このパネル１Ａの室内側（裏面側）の外端辺部に沿って設けられる略矩形枠状のフレーム３と、戸先側の前記フレーム３に保持される第１把手３０１および第２把手３０３と、ラッチ錠５７とを主要部に備える。
【０１１０】
本実施例では、前記各実施例と同様に、パネル１Ａの吊元側に上下方向に沿って設けられる縦フレーム５に設けられたヒンジＨを介してパネル１Ａが扉枠２９１に回動可能に取り付けられている。
【０１１１】
フレーム３のうち、パネル１Ａの戸先側に上下方向に沿って設けられる縦フレーム７は、図１６に示すように、パネル１Ａの戸先側端部の室内側面に重ね合わされる室内枠部９と、パネル１Ａの戸先側端面１ａと対向するコ字形状の戸先枠部１１とを備える。
【０１１２】
戸先側縦フレーム７の戸先枠部１１は、その中央片１３がパネル１Ａの戸先側端面１ａと平行に配置され、室外側片１５がパネル１Ａの室外側面と同一面に配置される。この室外側片１５の先端部は、パネル１Ａの戸先側端面１ａに当接している。本実施例の戸先枠部１１の室外側片１５は、前記各実施例と比較してその左右方向の寸法が小さく形成されており、たとえば左右方向の寸法は、約５ｍｍとされる。
【０１１３】
本実施例の室内枠部９は、パネル１Ａの戸先側端部の室内側面に重ね合わされて設けられる第一室内枠部３０５と、この第一室内枠部３０５の室内側に隣接して設けられる第二室内枠部３０７と、第二室内枠部３０７に設けられる第三室内枠部３０９とを有する。
【０１１４】
第一室内枠部３０５は、断面矩形状の筒体形状とされる。また、第二室内枠部３０７は、第一室内枠部３０５より左右寸法が小さい断面矩形状の筒体形状とされ、薄い板材３１１を介して第一室内枠部３０５に重ね合わされて固定されている。
【０１１５】
第一室内枠部３０５および第二室内枠部３０７の各戸先側端面３０５ａ，３０７ａは、ほぼ面一に配置されていると共に、パネル１Ａの戸先側端面１ａより吊元側へ配置されている。本実施例では、第一室内枠部３０５および第二室内枠部３０７の戸先側端面３０５ａ，３０７ａに側板３１３が重ね合わされて固定されている。また、本実施例では、第一室内枠部３０５の室外側片３１５がパネル１Ａの戸先側端面１ａからさらに戸先側へ延出して戸先枠部１１の室内側片３１７と連続して形成されている。
【０１１６】
第三室内枠部３０９は、断面略Ｌ字形とされ、その一片３１９が第二室内枠部３０７の吊元側片３０７ｂに当接して固定されており、他片３２１は第二室内枠部３０７の室内側片３０７ｃとほぼ面一に配置されている。そして、第二室内枠部３０７および第三室内枠部３０９には、扉１の裏板３２３が重ね合わされて固定されている。
【０１１７】
本実施例では、扉枠２９１の戸先側縦枠２９３に緩衝材３２５が設けられており、図１６に示すように、扉１が閉められた状態で扉１の第二室内枠部３０７の角部が緩衝材３２５に当接する。また、本実施例では、図１６に示すように、扉１が閉められた状態で室内枠部９の一部が、扉枠２９１の戸先側縦枠２９３より室外側に位置している。
【０１１８】
ラッチ錠５７は、第二室内枠部３０７の内部を通されるように設けられており、ラッチボルト６１が室内枠部９の戸先側端面から出没可能に設けられている。
【０１１９】
室外側の第１把手３０１は、戸先側の縦フレーム７の室内枠部９に設けられる。本実施例の第１把手３０１は、室内枠部９の戸先側面に上下に離間して固定される二つの座３２７，３２７と、この座３２７，３２７同士を架け渡すように設けられる把手本体３２９とを備える。
【０１２０】
座３２７は、中空の平面視略Ｌ字形とされ、その一端部が室内枠部９に取り付けられ、他端部が室外側へ延出している。具体的には、座３２７は、パネル１Ａの裏面に沿って配置される直方体形状の一片３３１と、この一片３３１の戸先側端部から一片３３１に対して直角に室外側へ延出する直方体形状の他片３３３とを有する。座３２７の他片３３３は、戸先枠部１１の中央片１３に沿ってパネル１Ａの表面から室外側へ延出している。本実施例では、座３２７の一片３３１に右側へ突出して矩形状の差込部３３５が一体に形成されており、この差込部３３５が第一室内枠部３０５の戸先側端面３０５ａから差し込まれて座３２７が室内枠部９に固定されている。
【０１２１】
把手本体３２９は、細長い筒体とされ、その軸線が上下方向に沿うように配置されて、座３２７，３２７同士を架け渡すように設けられる。把手本体３２９の上下端部には、室内側へ突出する柱状の取付部３３７が一体に設けられている。各取付部３３７の先端部中央には、上下方向に沿って溝３３９が形成されている。
【０１２２】
把手本体３２９内には、細長い矩形板状の連動杆３４１が上下動可能に収容されている。この連動杆３４１の上下端部には、矩形板状の揺動部材３４３がピン３４５により連動杆３４１に回動可能に保持されている。本実施例では、連動杆３４１は、取付部３３７，３３７間に配置されており、揺動部材３４３の先端部は、把手本体３２９から室内側へ突出している。
【０１２３】
把手本体３２９は、座３２７の他片３３３間を架け渡すように配置され、取付部３３７が各座３２７に差し込まれてリンク機構（伝達機構）に接続される。
【０１２４】
取付部３３７が接続されるリンク機構は、第一軸３４７まわりに揺動する第一リンク材３４９と、第二軸３５１まわりに揺動する第二リンク材３５３とを有する。具体的には、取付部３３７が接続されるリンク機構は、把手本体３２９の引き操作により第一軸３４７まわりに回転して先端部が上方へ移動する第一リンク材３４９と、この第一リンク材３４９の先端部の上方への移動により第二軸３５１まわりに回転して左端部が上方へ移動すると共に、右端部が下方へ移動する第二リンク材３５３とを有する。なお、第二リンク材３５３の右端部の貫通穴３６９に、室内側の第２把手３０３に接続される伝達材３９１の先端部３９１ａが挿入されて、第二リンク材３５３に伝達材３９１が連結される。
【０１２５】
第一リンク材３４９は、略長方形板状の一片３５５と、この一片３５５の長手方向中途から延出する他片３５７とを有する略Ｔ字形の板状体とされる。
【０１２６】
第一リンク材３４９は、座３２７の他片３３３内に配置されており、第一リンク材３４９の一片３５５は、揺動部材３４３の先端部と重ね合わされて連結されている。本実施例では、揺動部材３４３の中間部に矩形状の貫通穴３４３ａが形成されており、この貫通穴３４３ａに第一リンク材３４９に形成された矩形板状の突部３５９がはめ込まれて連結されている。
【０１２７】
第一リンク材３４９には、座３２７に保持された第一軸３４７が左右方向にはめ込まれ、この第一軸３４７は揺動部材３４３の先端部にもはめ込まれている。第一リンク材３４９の突部３５９が、揺動部材３４３の貫通穴３４３ａにはめ込まれて連結されていることで、第一軸３４７まわりに第一リンク材３４９が回動すると、それに伴い揺動部材３４３も回動する。
【０１２８】
また、第一リンク材３４９の他片３５７は、その先端部が取付部３３７の溝３３９に差し込まれ、左右方向に沿ってはめ込まれるピン３６１により取付部３３７に回転可能に連結されている。
【０１２９】
第一軸３４７には、ねじりバネ３６３が挿通されており、ねじりバネ３６３の一端部が、ピン３６１に当接し、他端部が、座３２７内に立設された柱３６５に当接して、取付部３３７を室内側へ押圧している。これにより、把手本体３２９が操作されていない状態では、把手本体３２９は、座３２７の他片３３３に当接するように、つまり室内側へ付勢された状態が保たれている。
【０１３０】
第二リンク材３５３は、矩形状の板体とされ、座３２７の一片３３１内に収容されている。第二リンク材３５３の左側端部の上端部には、左側へ突出して突部３６７が形成されている。第二リンク材３５３の右端部は、幅広に形成されており、矩形状の貫通穴３６９が形成されている。なお、図示例では、第二リンク材３５３は、その中途が段付きに屈曲されている。
【０１３１】
第二リンク材３５３は、前後方向に沿って差し込まれる第二軸３５１により座３２７に回転可能に保持される。本実施例では、第二リンク材３５３は、図１７に示すように、座３２７の一片３３１を構成する保持部材３７１に回転可能に保持されている。
【０１３２】
保持部材３７１は、中空の直方体形状とされ、その右端部には、上下に延出して板状の留片３７３が形成されている。保持部材３７１は、座３２７の一片３３１の室外側面に形成された凹部３７５にはめ込まれて、留片３７３からネジがねじ込まれて座３２７の一片３３１に固定されている。
【０１３３】
第二リンク材３５３は、図１６および図１８に示すように、保持部材３７１内に差し込まれており、左右両端部が保持部材３７１から外方へ突出している。そして、第二リンク材３５３は、保持部材３７１に保持された第二軸３５１が前後方向に沿って差し込まれて、第二軸３５１まわりに回動可能に保持部材３７１に保持されている。また、第二軸３５１には、ねじりバネ３７７が挿通されており、その一端部が保持部材３７１の内面に当接されており、他端部が第二リンク材３５３に形成された穴にはめ込まれている。これにより、把手本体３２９が操作されていない状態において、第二リンク材３５３は水平に保たれるようねじりバネ３７７により付勢されている。
【０１３４】
把手本体３２９を操作していない状態では、第二リンク材３５３の突部３６７の直下に、第一リンク材３４９の一片３５５の先端部が配置されている。
【０１３５】
室内側に設けられる第２把手３０３は、戸先側の縦フレーム７の室内枠部９に設けられる。本実施例の第２把手３０３は、縦フレーム７に固定される座３８１と、この座３８１に揺動可能に設けられる押部材３８３と、この押部材３８３に固定される把手本体３８５とを備える。
【０１３６】
座３８１は、室内側へ開口した上下方向に細長い箱形状とされる。座３８１の上下端部には、室内側へ開口する矩形筒状の支持部材３８７が固定されている。座３８１は、第三室内枠部３０９に扉１の裏板３２３を介して固定されている。なお、座３８１には、左右に離間して室外側へ突出するガイドピン３８９，３８９が設けられており、ラッチ錠５７の錠ケース５９に挿通されている。
【０１３７】
本実施例では、支持部材３８７に室内側の伝達機構が接続される。室内側の伝達機構は、伝達材３９１から構成される。伝達材３９１は、細長い板体とされ、その基端部３９３は、略コ字形に折り曲げられている。また、図１８および図１９に示すように、伝達材３９１の基端部３９３は、室内側へ行くに従って上方へ傾斜する傾斜面に形成されている。
【０１３８】
伝達材３９１は、支持部材３８７に保持された第三軸３９５が左右方向に沿ってはめ込まれて、支持部材３８７に回動可能に保持されている。第三軸３９５にはねじりバネ３９６が挿通されており、ねじりバネ３９６は、第２把手３０３が操作されていない状態では、伝達材３９１が略水平となるように付勢している。
【０１３９】
支持部材３８７に設けられた伝達材３９１は、座３８１の底面を介して錠ケース５９に差し込まれ、前記錠ケース５９内の第１スライダー９５と第２スライダー９７間を通されており、さらに錠ケース５９を貫通して、その先端部３９１ａが第二リンク材３５３の貫通穴３６９にはめ込まれている。
【０１４０】
押部材３８３は、板状体とされ、その上下端部には連結部３９７が設けられている。連結部３９７は、上下に離間して室外側へ突出する一対の板片３９９，３９９を有する。押部材３８３は、その連結部３９７が座３８１の支持部材３８７にはめ込まれ、上下方向に沿ってはめ込まれるピン４０１により回動可能に座３８１に取り付けられる。このピン４０１には、ねじりバネ４０３が挿通されており、押部材３８３をピン４０１まわりに室内側へ付勢している。
【０１４１】
また、押部材３８３の連結部３９７には、上下方向に沿って作動ピン４０５がはめ込まれており、作動ピン４０５は、支持部材３８７に形成された長穴４０７に通されている。作動ピン４０５は、伝達材３９１の基端部３９３に第三軸３９５より上方位置で当接している。
【０１４２】
把手本体３８５は、若干湾曲した矩形状の板体であり、室内側へ突出する矩形状の突出部４０９が上下に離間して設けられている。把手本体３８５は、その突出部４０９を押部材３８３に形成された穴にはめ込まれて、ネジにより押部材３８３に固定されている。
【０１４３】
なお、第２把手３０３は、第１把手３０１より上下寸法が短く、第１把手３０１の下側の座３２７に設けられたリンク機構および第２把手３０３の下側の伝達機構は、それぞれ室内枠部９に差し込まれた状態となっている。
【０１４４】
次に、本実施例３の扉１を閉鎖状態から開ける方法について説明する。室外側から扉１を開ける場合には、第１把手３０１の把手本体３２９を把持して、室外側へ引けばよい。把手本体３２９を室外側へ引くことで、把手本体３２９に設けられた取付部３３７も室外側へ移動し、取付部３３７にピン３６１で連結された第一リンク材３４９が第一軸３４７まわりに回動する。これにより、第一リンク材３４９の一片３５５の先端部が上方へ移動して第二リンク材３５３の突部３６７に当接して押圧し、第二リンク材３５３を第二軸３５１まわりに回転させる。この際、揺動部材３４３も第一リンク材３４９と共に回動し、連動杆３４１は下方へ移動する。
【０１４５】
第二リンク材３５３は、第二軸３５１まわりに回転して、その右端部が下方へ移動し、第二リンク材３５３の右端部に連結された伝達材３９１も第三軸３９５まわりに回動してその先端部３９１ａが下方へ移動する。伝達材３９１の先端部３９１ａが下方へ移動することで、ラッチ錠５７の第１スライダー９５が下方へ移動し、各ロッキングピース７９，７９が揺動して、ラッチボルト６１との係合が解除される。これにより、ラッチボルト６１は、後退可能状態つまり受部材２９５に当接することで反転すると共に錠ケース５９内へ後退可能な状態となる。
【０１４６】
そして、この係合が解除された状態において、そのまま第１把手３０１を外側へ引くことで、前記各実施例と同様に、ラッチボルト６１の先端部が受部材２９５に当接してラッチボルト６１は反転し、扉１を開けることができる。
【０１４７】
なお、本実施例では第１把手３０１に、連動杆３４１と揺動部材３４３，３４３によって平行リンク機構が形成されており、これにより、把手本体３２９は、軸方向を上下方向に沿った状態のまま前後に移動することとなる。
【０１４８】
次に、室内側から扉１を開ける場合には、第２把手３０３の把手本体３８５を室外側へ押し込めばよい。この把手本体３８５の押し込み操作により、把手本体３８５が固定された押部材３８３が座３８１に対してピン４０１まわりに回動し、押部材３８３に設けられた作動ピン４０５が伝達材３９１の基端部３９３を押し込む。これにより、伝達材３９１は、第三軸３９５まわりに回動して、その先端部３９１ａが下方へ移動し、ラッチ錠５７の第１スライダー９５を下方へ移動させ、ロッキングピース７９とラッチボルト６１の係合が解除される。そして、さらに第２把手３０３を室外側へ押すことで、室外側からの方法と同様に、扉を開けることができる。
【０１４９】
なお、室内側から扉１を開ける場合、伝達材３９１の先端部３９１ａが下方へ移動するのに伴い、第二リンク材３５３も第二軸３５１まわりに回動して、第二リンク材３５３の左端部は、上方へ移動する。しかしながら、第二リンク材３５３が上方へ移動しても第一リンク材３４９に当接することがなく、第一リンク材３４９および把手本体３２９が動くことがない。
【０１５０】
本実施例３では、室外側の第１把手３０１の座３２７がパネル１Ａの裏面側で室内枠部９に固定されていることで、前記各実施例と同様に、パネル１Ａの室外側面に把手を取り付けるための穴や切欠きが形成されない。また、本実施例３では、座３２７と縦フレーム７が、パネル１Ａの裏面側で接続されることで、座３２７と縦フレーム７との接続箇所が外部から視認されることがなく、さらに見栄えをよくすることができ意匠性に優れた製品とすることができる。また、本実施例では、ラッチ錠５７の錠ケース５９には、室内側の伝達材３９１だけが差し込まれることで取り付けが容易とされる。
【０１５１】
なお、本実施例３においても、前記各実施例と同様に、扉枠２９１の戸先側縦枠２９３にシリンダー錠を設け、シリンダー錠のデッドボルトを室内枠部９に設けられる凹部に突入させるようにしてもよい。また、本実施例３では、室外側の第１把手３０１の座３２７，３２７を二つ設けたが、上下方向に長い座を一つ設けるようにしてもよい。
【０１５２】
本発明の扉および扉錠は、上記各実施例の構成に限らず、適宜変更可能である。
例えば、上記各実施例のラッチ錠は、いわゆる反転式のラッチボルトを使用したが、把手本体に設けられる操作材または把手本体自体の操作でラッチボルトが後退するものを使用しても構わない。また、ツーロック方式として、下側のホルダー４５，２４３にもデッドボルトが突入する凹部１６３を設けてもよい。
【図面の簡単な説明】
【０１５３】
【図１】本発明の扉の実施例１を示す図であり、躯体への取付状態を室外側から見た正面図である。
【図２】実施例１の扉をその戸先側から見た側面図であり一部を省略して示している。
【図３】実施例１の扉の躯体への取付状態における平面視横断面図である。
【図４】実施例１の扉の戸先側部分の拡大横断面図である。
【図５】図４の主要部を示す概略斜視図である。
【図６】ラッチ錠を室外側から見た正面図であり、断面にして示している。
【図７】ラッチ錠の平面視横断面図である。
【図８】ラッチボルトとロッキングピースとの係合状態を示す図である。
【図９】実施例１の扉の室外側把手を示す縦断面図である。
【図１０】図４の状態から扉を開けようとしている状態を示す断面図である。
【図１１】本発明の扉の実施例２を示す図であり、扉をその戸先側から見た側面図であり、一部を省略すると共に、一部を断面にして示している。
【図１２】実施例２の扉の戸先側部分の拡大横断面図である。
【図１３】図１２の主要部を示す概略斜視図である。
【図１４】本発明の扉の実施例３を示す図であり、躯体への取付状態を室外側から見た正面図である。
【図１５】実施例３の扉をその戸先側から見た側面図である。
【図１６】実施例３の扉の戸先側部分の拡大横断面図である。
【図１７】座を示す斜視図である。
【図１８】図１６の主要部を示す概略斜視図である。
【図１９】図１６の主要部を示す吊元側から見た縦断面図である。
【符号の説明】
【０１５４】
１  扉
１Ａ  パネル
３  フレーム
７  縦フレーム
２９  緩衝材
３５  第１把手
４３  第２把手
４５  ホルダー
５７  ラッチ錠
５９  錠ケース
６１  ラッチボルト
１０１  操作材
１１３  第１リンク材
１１５  第２リンク材
１４３  操作材
１４９  第３リンク材
１５９  シリンダー錠
１６１  デッドボルト
１６３  凹部（突入穴）
２０１  第１把手
２０７  把手本体
２１７  第１リンク材
２１９  第２リンク材
２４９  第２把手
２５５  把手本体
２６５  第３リンク材
２９１  扉枠
２９５  受部材
３０１  第１把手
３０３  第２把手
３２７  座
３２９  把手本体
３４９  第１リンク材
３５３  第２リンク材
３８５  把手本体
３９１  伝達材
【図１】
0005134840.tif 000002
【図２】
0005134840.tif 000003
【図３】
0005134840.tif 000004
【図４】
0005134840.tif 000005
【図５】
0005134840.tif 000006
【図６】
0005134840.tif 000007
【図７】
0005134840.tif 000008
【図８】
0005134840.tif 000009
【図９】
0005134840.tif 000010
【図１０】
0005134840.tif 000011
【図１１】
0005134840.tif 000012
【図１２】
0005134840.tif 000013
【図１３】
0005134840.tif 000014
【図１４】
0005134840.tif 000015
【図１５】
0005134840.tif 000016
【図１６】
0005134840.tif 000017
【図１７】
0005134840.tif 000018
【図１８】
0005134840.tif 000019
【図１９】
0005134840.tif 000020